(57)【要約】  【課題】顧客に対する値引サービスを確実、かつ迅速に実行する。  【解決手段】データとして記憶された商品取引前の金銭在り高、もしくは入金額に応じて、商品取引における値引きを自動的に行う。  【選択図】図２
2005038193.tif 000002
【特許請求の範囲】
【請求項１】
金銭在り高をデータとして記憶した記憶媒体を用いた商品取引の値引システムであって、
顧客識別を行う制御と、
顧客毎に記憶された金銭在り高に応じた割合または金額で商品取引における値引きを自動的に行う制御を含むことを特徴とする値引システム。
【請求項２】
金銭在り高をデータとして記憶した記憶媒体を用いた商品取引の値引システムであって、
顧客識別を行う制御と、
商品取り引き前に入金された入金金額を加算もしくは加算せずに得られた金銭在り高を、商品取り引き前の金銭在り高として更新する制御と、
データとして記憶された商品取り引き前の金銭在り高に応じた割合または金額で商品取引における値引きを自動的に行う制御と、
値引後の商品取り引き金額、金銭在り高、入金金額から自動的に金銭在り高データを更新する制御を含むことを特徴とする値引システム。
【請求項３】
金銭在り高をデータとして記憶した記憶媒体を用いた商品取引の値引システムであって、
顧客識別を行う制御と、
商品取り引き前、もしくは最新の入金額に応じた割合または金額で商品取り引きにおける値引きを自動的に行う制御を含むことを特徴とする値引システム。
【請求項４】
金銭在り高をデータとして記憶した記憶媒体を用いた商品取引の値引システムであって、
顧客識別を行う制御と、
商品取り引き前、もしくは最新の入金額に応じた割合または金額で商品取り引きにおける値引きを自動的に行う制御と、
前記入金額を加算もしくは加算せずに得られた金銭在り高を、商品取り引き前の金銭在り高データとして更新する制御と、
値引後の商品取り引き金額、金銭在り高、入金金額から自動的に金銭在り高データを更新する制御を含むことを特徴とする値引システム。
【発明の詳細な説明】
【技術分野】
【０００１】
本発明は、現金を用いない商品取引における値引きを行う値引システムに関する。
【背景技術】
【０００２】
商品取引に関する値引きサービスとして、たとえば、リライトカードに貯められたポイント数に応じて値引き額を決めるものがある。（たとえば、特許文献１参照）
【０００３】
【特許文献１】特開２００３-９９８５７号（〔０００３〕〜〔０００８〕）
【発明の開示】
【発明が解決しようとする課題】
【０００４】
特許文献１に記載の値引サービスは、商品取引後における決済金額によってポイントが加算されるため、値引サービスを受けられるポイントを貯めるまでには時間を要している。
つまり、顧客の中には、ポイント獲得を半ばあきらめてしまったり、リライトカードの存在を忘れたりして、値引サービスを受けていない可能性が有る。
【０００５】
そこで、本発明は、顧客に対する値引サービスを確実、かつ迅速に実行することを課題とし、この課題を解決した値引システムの提供を目的とする。
【課題を解決するための手段】
【０００６】
上記した目的を達成するために本発明は下記の技術的手段を採用した。
その技術的手段は、金銭在り高をデータとして記憶した記憶媒体を用いた商品取引の値引システムであって、顧客識別を行う制御と、顧客毎に記憶された金銭在り高に応じた割合または金額で商品取引における値引きを自動的に行う制御を含む値引システムである。（請求項１）
【０００７】
また、金銭在り高をデータとして記憶した記憶媒体を用いた商品取引の値引システムであって、顧客識別を行う制御と、商品取り引き前に入金された入金金額を加算もしくは加算せずに得られた金銭在り高を、商品取り引き前の金銭在り高として更新する制御と、データとして記憶された商品取引前の金銭在り高に応じた割合または金額で商品取引における値引きを自動的に行う制御と、値引後の商品取り引き金額、金銭在り高、入金金額から自動的に金銭在り高データを更新する制御を含む値引システムである。（請求項２）
【０００８】
また、あらかじめ入金した金額金銭在り高をデータとして記憶した記憶媒体を用いた商品取引の値引システムであって、顧客識別を行う制御と、商品取り引き前、もしくは最新の入金額に応じた割合または金額で商品取り引きにおける値引きを自動的に行う制御を含む値引システムである。（請求項３）
【０００９】
また、金銭在り高をデータとして記憶した記憶媒体を用いた商品取引の値引システムであって、顧客識別を行う制御と、商品取り引き前、もしくは最新の入金額に応じた割合または金額で商品取り引きにおける値引きを自動的に行う制御と、
前記入金額を加算もしくは加算せずに得られた金銭在り高を、商品取り引き前の金銭在り高データとして更新する制御と、値引後の商品取り引き金額、金銭在り高、入金金額から自動的に金銭在り高データを更新する制御を含む値引システムである。（請求項４）
【発明の効果】
【００１０】
請求項１の発明によれば、顧客識別がされ、当該顧客の金銭在り高データに基づいて、取引前に金額あるいは割合による値引き額が自動的に決定される。
また、請求項２の発明では、請求項１に加えて、目的の割引を受けるために、取り引き前に目的の割引きがされる金銭在り高になる現金を入金することも可能な制御を含む。
商品取引後および入金後には、新たな金銭在り高に更新される。
請求項３の発明によれば、顧客識別がされ、当該顧客が商品取り引き前、もしくは最新の入金金額に基づいて、取り引き前に割合または金額による値引き額が自動的に決定される。
また、請求項４の発明では、請求項３に加えて、商品取引後および入金後には、新たな金銭在り高に更新される。
したがって、本発明は、顧客に対する値引サービスを確実、かつ迅速に実行することができる。
【発明を実施するための最良の形態】
【００１１】
本発明では、たとえば、カード型に限らずバーコードまたはＩＣチップあるいは磁気等、記憶手段を有する携帯または車載に便利な記憶媒体に、入金データおよび金銭在り高データが記憶され、さらには顧客識別データが記憶される。
また、記憶媒体は、コンピュータによるものでもよく、この場合、カード型に限らずバーコードまたはＩＣチップあるいは磁気等、記憶手段を有する携帯または車載に便利な顧客識別媒体によって識別を行う。
本発明は、商品取り引き前に入金された金額に応じて割引が行われたり、在り高金額に応じて割引が行われたりするが、割引きの算出方法については、たとえば、商品定価から直接Ｘ円という金額を引く方法や商品定価に対して割合計算から算出した金額を引く方法が例示できる。
【実施例】
【００１２】
以下、本発明の最適な実施例を図面に基づいて説明する。
図１は本発明の請求項１および請求項２に係る値引システム１の構成図、図２は当該の値引システム１のフローチャートを示す。
本実施例の値引システムは、取引前入金を加算した取引前金銭在り高に応じて自動的に値引がされるものとする。
なお、本実施例では、値引システム１をガソリンスタンド（以下、「店舗」と略称する）に用いた例で説明する。
【００１３】
本実施例の値引システム１は、図面上３箇所の店舗Ａ,Ｂ,Ｃの決済管理を各店舗から離間した管理部Ｄで集中管理される。
店舗Ａ,Ｂ,Ｃには、それぞれ複数の給油機２、各給油機２用の入金および顧客識別媒体（以下「カード等」という）読取り・書込み、さらにはカード等発行兼用の会計装置３、顧客別の残金を清算する清算部５、店舗毎のデータを演算・加工する店舗データ管理端末とデータを蓄積する店舗側サーバ等から構成される店舗システムが備えられている。
以下では、店舗システムに、店舗ＡではＡ６、店舗ＢではＢ６、店舗ＣではＣ６の符号を付して説明する。
【００１４】
店舗システムＡ６,Ｂ６，Ｃ６は、それぞれ、管理部Ｄの管理側サーバＤ１に通信回線によってつながれており、店舗システムＡ６,Ｂ６，Ｃ６のそれぞれのデータが管理側サーバＤ１に配信され、管理側サーバＤ１のデータが店舗システムＡ６,Ｂ６，Ｃ６すべてに配信されるようにしている。
ここでいうデータは、各店舗毎での現金入金金額データと、給油数量およびその他のサービスに対する売上金額データと、金銭在り高データ、使用者データ、油種データ、値引データ等である。
【００１５】
これら各データは、店舗毎に店舗システムＡ６,Ｂ６,Ｃ６に入力され、常に最新のデータに更新される。
店舗システムＡ６,Ｂ６,Ｃ６に入力された各データは、当該システム内サーバに蓄積されるとともに、管理側サーバＤ１に入力され、当該管理側サーバに蓄積されたデータが更新される。
【００１６】
前記店舗システムＡ６,Ｂ６,Ｃ６および管理側サーバＤには、値引システムの制御を実行するプログラムが記憶されている。
本実施例における値引システムの値引方法は表１のとおりである。
なお、値引額については任意に設定することができるものであり、例示した金額に限定するものではない。
【００１７】
【表１】
2005038193.tif 000003
【００１８】
本実施例の値引システム１では、原則的にカード等による決済のものである。
カード等には、顧客識別手段であるバーコードが印刷されており、最初に会計装置３に現金を入金し、油種を選択すると、当該バーコード、油種、入金額、入金日時、店舗、累計ポイント等が顧客データとして、入金した店舗の店舗システムおよび管理側サーバに蓄積されるとともに、前記入金額、入金日時、店舗、累計ポイント等がカード等の表面に印字された後に、当該顧客専用のカード等が発行されるようにしてある。
入金金額は、金銭在り高金額として記憶される。
【００１９】
そして、給油時には、カード等を会計装置３にセットすると、会計装置３がバーコードを読み取って、当該バーコードに対応する顧客データにおける油種のみの給油が設定される。
また、顧客データにおける金銭在り高に応じ、前記表１に記載の金額が定価から値引され、値引後の金額がリッター当たりの価格として設定される。
給油が終了すると、給油量、給油日時、値引後の売上金額（出金金額）、金銭在り高、累計ポイント等が顧客データとして店舗システムと管理側サーバに送信され、これらサーバに蓄積された顧客データが更新されるとともに、カード等に給油量、給油日時、売上金額（出金金額）、金銭在り高、累計ポイント等が印字される。
カード等については、たとえば、過去４回〜５回の取引履歴が印字されており、最新の取引を行った時点で最も古いデータが消されて、最新の取引履歴が印字されるようにしている。
【００２０】
次に、本実施例の値引システムの動作を図２のフローチャートに基づいて説明する。
【００２１】
（ＳＰ１）入金および油種を選択して会計装置３に入金すると、（ＳＰ２）入金額と油種、金銭在り高、入金日時、店舗、累計ポイント等の各データおよびバーコードが店舗システムと管理側サーバに送信されて入力されるとともに、入金額と油種、金銭在り高、入金日時、店舗、累計ポイント等が印字されたカード等が発行される。
この場合、すでにカード等を持っている客は、前記ＳＰ１においてカード等を会計装置３にセットして入金を選択して入金ができる。
【００２２】
（ＳＰ３）カード等が会計装置３にセットされると、当該バーコードが読み取られ、これに対応する（ＳＰ４）顧客別油種のみの給油が可能状態となり、（ＳＰ５）顧客別の金銭在り高データに応じて値引が行われる。
この場合、すでにカード等を持っている客は、前記ＳＰ３においてカード等を会計装置３にセットする。
【００２３】
（ＳＰ６）給油が終了すると、（ＳＰ７）給油日時および給油量、値引後の金額で算出された売上金額、累計ポイント等が店舗システムと管理側サーバに送信され、この給油量データおよび売上金額データに基づいて金銭在り高から売上金額が差し引かれた金額が新たな金銭在り高データとして更新されるとともに、売上金額、残金額、累計ポイント等がカード等に印字される。
【００２４】
（ＳＰ８）客が現金で釣銭を希望する場合には、カード等を清算部にセットすると、（ＳＰ９）清算部がバーコードを読み取り、これに対応する顧客別金銭在り高が現金として出金され、（ＳＰ１０）当該出金データが店舗システムと管理側サーバに記録されるとともに、金銭在り高データが０円として更新されるとともに、カード等に金銭在り高が０円に書き換えられる。
【００２５】
（ＳＰ１１）管理側サーバに蓄積された最新の各データは、すべての店舗システムに送信され、（ＳＰ１２）すべての店舗システムに蓄積されている各データが送信された各データに更新される。
【００２６】
本実施例の値引システム１によれば、顧客別の金銭在り高データに基づいて割引が自動的に行われる。
その上、取引前の金銭在り高で算出するので、顧客が取引前に入金を行うことによって目的の値引サービスを受けることができる。
しかも、原則的に釣銭の現金での出金が無く、管理側サーバとすべての店舗システムが各データを共有することになる。
したがって、顧客に対する値引サービスを確実、かつ迅速に実行することができ、しかも、金額にかかわらず現金での釣銭の発生を原則無くした上で、すべての店舗と管理側においてデータを共有して、複数の店舗の決済管理を集中して行うことができる。
【００２７】
次に、請求項３および請求項４にかかる値引システムの実施例を説明する。
本実施例の値引システムは、取り引き前の入金金額に応じて自動的に割引がされるものである。
構成図およびフローチャートについては、前記の実施例と同様のものであるので省略する。
本実施例における値引システムの値引方法は表２のとおりである。
なお、値引額については任意に設定することができるものであり、例示した金額に限定するものではない。
【００２８】
【表２】
2005038193.tif 000004
【００２９】
次に、本実施例の値引システムの動作を図２のフローチャートに基づいて説明する。
【００３０】
（ＳＰ１）入金および油種を選択して会計装置に目的の割引を受けられる金額を入金すると、（ＳＰ２）入金額と油種、金銭在り高、入金日時、店舗、累計ポイント等の各データおよびバーコードが店舗システムと管理側サーバに送信されて入力されるとともに、入金額と油種、金銭在り高、入金日時、店舗、累計ポイント等が印字されたカード等が発行される。
この場合、すでにカード等を持っている客は、前記ＳＰ１においてカード等を会計装置にセットして入金を選択して入金ができる。
【００３１】
（ＳＰ３）カード等が会計装置３にセットされると、当該バーコードが読み取られ、これに対応する（ＳＰ４）顧客別油種のみの給油が可能状態となり、（ＳＰ５）顧客別の入金額に応じて値引が行われる。
この場合、すでにカード等を持っている客は、前記ＳＰ３においてカード等を会計装置にセットする。
【００３２】
（ＳＰ６）給油が終了すると、（ＳＰ７）給油日時および給油量、値引後の金額で算出された売上金額、累計ポイント等が店舗システムと管理側サーバに送信され、この給油量データおよび売上金額データに基づいて金銭在り高から売上金額が差し引かれた金額が新たな金銭在り高データとして更新されるとともに、売上金額、残金額、累計ポイント等がカード等に印字される。
【００３３】
（ＳＰ８）客が現金で釣銭を希望する場合には、カード等を清算部にセットすると、（ＳＰ９）清算部がバーコードを読み取り、これに対応する顧客別金銭在り高が現金として出金され、（ＳＰ１０）当該出金データが店舗システムと管理側サーバに記録されるとともに、金銭在り高データが０円として更新されるとともに、カード等に金銭在り高が０円に書き換えられる。
【００３４】
（ＳＰ１１）管理側サーバに蓄積された最新の各データは、すべての店舗システムに送信され、（ＳＰ１２）すべての店舗システムに蓄積されている各データが送信された各データに更新される。
【００３５】
本実施例の値引システムによれば、顧客別の入金額に応じて割引が自動的に行われる。
その上、取引前の入金額で算出するので、顧客が取引前に入金を行うことによって目的の値引サービスを受けることができる。
しかも、原則的に釣銭の現金での出金が無く、管理側サーバとすべての店舗システムが各データを共有することになる。
したがって、顧客に対する値引サービスを確実、かつ迅速に実行することができ、しかも、金額にかかわらず現金での釣銭の発生を原則無くした上で、すべての店舗と管理側においてデータを共有して、複数の店舗の決済管理を集中して行うことができる。
【００３６】
なお、本発明は、前記実施例で例示した構成に限定するものではなく、特許請求の範囲された内容から逸脱しない範囲で他の構成による実施が可能である。
【図面の簡単な説明】
【００３７】
【図１】本発明における値引システムの概略構成図。
【図２】本発明における値引システムのフローチャート。
【符号の説明】
【００３８】
１：値引システム
Ａ：店舗
Ｂ：店舗
Ｃ：店舗
Ｄ：管理部
２：給油機
３：会計装置
５：清算部
Ａ６：店舗システム
Ｂ６：店舗システム
Ｃ６：店舗システム
Ｄ１：管理側サーバ
【図１】
2005038193.tif 000005
【図２】
2005038193.tif 000006